(57)【要約】【課題】  盤の扉が開いた状態でも回路遮断器を開閉操作できるようにした回路遮断器の外部操作ハンドル装置を得る。【解決手段】  回路遮断器４に装着されたドライブユニット５と回路遮断器４を盤の扉１の外側からＯＮ、ＯＦＦ、またはリセット操作するハンドル２を有する操作ユニット３とを結合するシャフト７を固定する接続部材６にシャフト７の軸方向に対して直角方向に所定の長さ延設させた把持部６ａを設け、盤の扉１が開いたときには把持部６ａを回動させて回路遮断器４の開閉操作ができるようにした。【選択図】        図１
2006318805.tif 000002
【特許請求の範囲】
【請求項１】
盤の扉に配設され回動可能に形成されたハンドルを有する操作ユニットと、前記盤の内部に収納され回路遮断器に装着されてこの回路遮断器を開閉操作するドライブユニットと、このドライブユニットに接続部材で固着され、前記扉の開閉に応じて前記ハンドルに係脱し、前記扉を閉じたときに前記ハンドルの回動に連動して前記盤の内部に収納された前記回路遮断器をＯＮ、ＯＦＦ、またはリセット操作するシャフトとで構成された回路遮断器の外部操作ハンドル装置において、前記接続部材に前記シャフトの軸方向に対して直角方向に所定の長さ延設された把持部を設けたことを特徴とする回路遮断器の外部操作ハンドル装置。
【請求項２】
盤の扉に配設され回動可能に形成されたハンドルを有する操作ユニットと、前記盤の内部に収納され回路遮断器に装着されてこの回路遮断器を開閉操作するドライブユニットと、このドライブユニットに接続部材で固着され、前記扉の開閉に応じて前記ハンドルに係脱し、前記扉を閉じたときに前記ハンドルの回動に連動して前記盤の内部に収納された前記回路遮断器をＯＮ、ＯＦＦ、またはリセット操作するシャフト部とで構成された回路遮断器の外部操作ハンドル装置において、前記シャフト部は、前記扉を開いたときにこのシャフト部を略Ｌ字状に折曲可能にする折曲部を有することを特徴とする回路遮断器の外部操作ハンドル装置。
【請求項３】
ドライブユニットの表面に回路遮断器のＯＮ、ＯＦＦ、ＴＲＩＰ、およびリセット位置を示す表示記号を設け、回路遮断器の状態に応じて把持部の位置と前記表示記号が略一致するように形成させたことを特徴とする請求項１または請求項２記載の回路遮断器の外部操作ハンドル装置。
【請求項４】
盤の扉に配設され回動可能に形成されたハンドルを有する操作ユニットと、前記盤の内部に収納され回路遮断器に装着されてこの回路遮断器を開閉操作するドライブユニットと、このドライブユニットに固着され、前記扉の開閉に応じて前記ハンドルに係脱し、前記扉を閉じたときに前記ハンドルの回動に連動して回動して盤の内部に収納された前記回路遮断器をＯＮ、ＯＦＦ、またはリセット操作するシャフトとで構成された回路遮断器の外部操作ハンドル装置において、前記ドライブユニットにユニット接続部材を固着すると共に、前記回路遮断器に前記ユニット接続部材に着脱可能にされた遮断器接続部材を固着したことを特徴とする回路遮断器の外部操作ハンドル装置。
【請求項５】
遮断器接続部材に回動軸を形成させ、ユニット接続部材に前記回動軸に嵌挿させてドライブユニットを回動自在にする軸受を配設したことを特徴とする請求項４記載の回路遮断器の外部操作ハンドル装置。
【請求項６】
遮断器接続部材に固定側係止部を形成させ、ユニット接続部材に前記固定側係止部に係止してドライブユニットを回路遮断器に保持させる可動側係止部を配設したことを特徴とする請求項５記載の回路遮断器の外部操作ハンドル装置。
【発明の詳細な説明】
【技術分野】
【０００１】
この発明は、盤内に回路遮断器を収納し、この回路遮断器を盤の扉の外側から開閉操作する回路遮断器の外部操作ハンドル装置に関するものである。
【背景技術】
【０００２】
従来の回路遮断器の外部操作ハンドル装置は、盤の扉に設置された操作ユニットと、盤内に設置された回路遮断器の前面に搭載されたドライブユニットと、両ユニットを結合するためのシャフトなどから構成され、操作ユニットには、回動自在に操作できるようになされたハンドルが設けられ、このハンドルの操作位置に合わせてＯＮ（オン位置）、ＯＦＦ（オフ位置）、ＴＲＩＰＰＥＤ（トリップ位置）及びＲＥＳＥＴ（リセット位置）の表示が操作ユニットの前面に施されている。
【０００３】
シャフトはドライブユニット側に設けられ、扉の開閉に対応して、ハンドルに係脱可能に連結され、扉を閉じた状態において、シャフトはハンドルと一体に回動してそのハンドル操作をドライブユニットに伝達する。ドライブユニットはシャフトの回動動作を直線往復運動に変換し、回路遮断器の開閉レバーを往復駆動（開閉駆動）する構成にされている。（例えば、特許文献１参照）
【０００４】
【特許文献１】特開平７−２５４３４３号
【発明の開示】
【発明が解決しようとする課題】
【０００５】
従来の回路遮断器の外部操作ハンドル装置は以上のように構成されており、回路遮断器を操作する操作ユニットのハンドルが盤の外側に設置されているため、扉を開いた状態では、盤内に設置された回路遮断器の前面に搭載されたドライブユニット側のシャフトと操作ユニットのハンドルとの係合が解除されており、盤の扉の外側から回路遮断器の開閉操作ができないという問題点があった。
【０００６】
この発明は、上述のような課題を解決するためになされたもので、盤の扉が開いた状態でも回路遮断器の開閉操作を容易にできるようにした回路遮断器の外部操作ハンドル装置を得ることを目的としている。
【課題を解決するための手段】
【０００７】
この発明に係る回路遮断器の外部操作ハンドル装置は、盤の扉に配設され回動可能に形成されたハンドルを有する操作ユニットと、盤の内部に収納され回路遮断器に装着されてこの回路遮断器を開閉操作するドライブユニットと、このドライブユニットに接続部材で固着され、扉の開閉に応じて前記ハンドルに係脱し、扉を閉じたときにハンドルの回動に連動して盤の内部に収納された回路遮断器を手動でＯＮ、ＯＦＦ、またはリセット操作するシャフトとで構成された回路遮断器の外部操作ハンドル装置において、接続部材にシャフトの回動方向に対して直角方向に所定の長さ延設された把持部を設けたものである。
【発明の効果】
【０００８】
この発明は以上説明したように、盤の扉が開いた状態でも、接続部材に配設した把持部を回動することで回路遮断器の開閉操作が容易にできる。
【発明を実施するための最良の形態】
【０００９】
実施の形態１．
図１はこの発明の実施の形態１における回路遮断器の外部操作ハンドル装置の外観を示す斜視図、図２は図１の要部分解斜視図、図３は図１のドライブユニットの拡大平面図である。
図１及び２において、回路遮断器の外部操作ハンドル装置は、開閉可能に形成された扉１を有する箱形の配電盤あるいは分電気盤（図示しない）に装着されており、扉１の外側に回動可能に形成されたハンドル２が配設された操作ユニット３と、盤の内部に収納され回路遮断器４に装着されてこの回路遮断器４を開閉操作するドライブユニット５と、このドライブユニット５に接続部材６で固着され、扉１の開閉に応じてハンドル２に係脱し、扉１を閉じたときにハンドル２に係合しハンドル２の回動に連動して盤１の内部に収納された回路遮断器４をＯＮ、ＯＦＦ、またはリセット操作させるシャフト７とで構成されている。
【００１０】
なお、接続部材６は２枚の板状部材で形成されたおり、シャフト７をドライブユニット５の係合突起５ａに当接させ、シャフト７と係合突起５ａとを２枚の板状部材を挟持させた状態で締付ねじ８とナット９で固着される。
なお、２枚の板状部材は略Ｕ字状に連結された１枚の板状部材でも良い。
また、接続部材６にはシャフト７の軸方向に対して直角方向に所定の長さ延設された把持部６ａが設けられており、この把持部６ａは回路遮断器４を開閉操作するときに必要なトルクである、例えば、５Ｎ・ｍから１０Ｎ・ｍを手動によってシャフト７を容易に回動させることができる所定の長さ（例えば、図２において、Ｌを３０ｍｍから１５０ｍｍ）に設定される。
また、上記では把持部６ａをシャフト７の軸方向に対して片側方向に延設したが、対象的に両側方向に延設させても良く、この場合、片方向に延設した場合よりもシャフト７の回動操作時の必要トルクが減少するので回路遮断器４を開閉操作が容易となる。
【００１１】
図３において、ドライブユニット５の表面にはＯＮ（オン位置）、ＯＦＦ（オフ位置）、ＴＲＩＰＰＥＤ（トリップ位置）及びＲＥＳＥＴ（リセット位置）を示す表示記号５ｂが施されており、回路遮断器４を操作したときに接続部材６の把持部６ａが表示記号５ｂ位置に合致し、回路遮断器４の開閉状態位置を示すように形成されている。
【００１２】
以上のように構成されたこの発明の実施の形態１における回路遮断器の外部操作ハンドル装置は、盤の扉１が閉じた状態において、操作ユニット３がシャフト７に係合した状態でハンドル２を回動させると、ドライブユニット５のドライブ機構（図示せず）により回路遮断器４が開閉される。この場合、上記のドライブ機構は、従来の機構と同様のものであり、例えば、シャフト５の回転運動を直線往復運動に変換して回路遮断器４の起倒形ハンドルをオン・オフ操作する機構を用いるが、この部分は発明の主要部ではないため説明を省略する。
【００１３】
盤の扉１が開いた状態においては、操作ユニット３と、盤内に設置された回路遮断器４に搭載されたドライブユニット５との係合が解除されるが、接続部材６に配設された把持部６ａを手などにより矢印Ａ方向（図３に示す）回動させることにより回路遮断器４の開閉操作を容易にできる。
また、回路遮断器４を開閉操作したときには接続部材６の把持部６ａが表示記号５ｂ位置に合致するので、回路遮断器４の状態判別が容易である。
なお、上記の実施例では接続部材６に把持部６ａを設け、回動させるようにしたが、図４に示すように操作レバー５ｃを固着させてドライブユニット５のドライブ機構（図示せず）を直接、操作することにより回路遮断器４の開閉操作を行っても良い。
【００１４】
実施の形態２．
図５は、この発明の実施の形態２における回路遮断器の外部操作ハンドル装置の外観を示す斜視図、図６は図５のシャフト部を折り曲げた状態を示す斜視図、図７は図５のシャフト部の構成を示す拡大分解斜視図である。
図において、シャフト部１０は操作ユニット３のハンドル２に係合する係合軸１１、ドライブユニット５の係合突起５ａ（図２参照）に当接された状態で接続部材６に固着される基部１２、及びシャフト部１０を略Ｌ字状に折曲可能にする折曲部１３とにより形成され、折曲部１３はピン１３ａ（図７に示す）を有しており、係合軸１１の係合凹部１１ａに基部１２の係合凸部１２ａを嵌挿させた状態で、直線的に形成された係合軸１１の貫通孔１１ｂと基部１２の貫通孔１２ｂにピン１３ａを貫通させることで折曲可能にしている。
なお、基部１２とドライブユニット５の係合突起５ａとの接続部材６による固着構成については実施の形態１と同様である。
また、上記以外の構成および動作については実施の形態１と同様であり同一の番号を付し説明を省略する。
【００１５】
以上のように構成されたこの発明の実施の形態２における回路遮断器の外部操作ハンドル装置において、盤の扉１が開いた状態においては、操作ユニット３と、盤内に設置された回路遮断器４に搭載されたドライブユニット５との係合が解除され、シャフト部１０の係合軸１１を矢印Ｂ（図５に示す）に回動させて折り曲げ、係合軸１１を手などにより矢印Ｃ方向（図６に示す）回動させることにより回路遮断器４の開閉操作を容易にできる。
【００１６】
なお、ドライブユニット５の表面には上述した実施の形態１と同様に、ＯＮ（オン位置）、ＯＦＦ（オフ位置）、ＴＲＩＰＰＥＤ（トリップ位置）及びＲＥＳＥＴ（リセット位置）を示す表示記号５ｂが施されており（図３に示す）、回路遮断器４を操作したときに係合軸１１が表示記号５ｂ位置に合致し、回路遮断器４の状態判別が容易にできるものである。
また、本構成の場合、回路遮断器４の開閉操作を実施するか否かに係わらず、扉１が開いた状態において、係合軸１１を折り曲げておくとシャフト部１０の飛び出し量が減少するので、作業者などに対する安全性が高いという効果がある。
【００１７】
実施の形態３．
図８は、この発明の実施の形態３における回路遮断器の外部操作ハンドル装置の側面図、図９は図８のドライブユニットを回路遮断器から外した状態を示す側面図、図１０は図８の遮断器接続部材の外観拡大斜視図、図１１は図８のユニット接続部材の外観拡大斜視図である。
【００１８】
図において、回路遮断器４には遮断器接続部材４ａが締付ねじ１４により固着され、ドライブユニット５にはユニット接続部材５ｄが締付ねじ１５により固着されている。
また、ユニット接続部材５ｄには軸受５ｄ１及び可動側係止部５ｄ２が配設され、遮断器接続部材４ａには軸受５ｄ１に嵌挿されてドライブユニット５を回動自在にさせる回動軸４ａ１及び可動側係止部５ｄ２が係合してドライブユニット５を回路遮断器４に装着された状態で係止させる固定側係止部４ａ２が配設されている。
なお、上記以外の構成および動作については実施の形態１と同様であり同一の番号を付し説明を省略する。
【００１９】
以上のように構成されたこの発明の実施の形態３における回路遮断器の外部操作ハンドル装置は、盤の扉１が開いた状態において、ドライブユニット５を矢印Ｄ方向（図８に示す）へ回動させると可動側係止部５ｄ２と固定側係止部４ａ２との係合が解除され、ドライブユニット５は軸受５ｄ１を支点に回動して、回路遮断器４を直接開閉操作させる操作トッテ４ｂが露出する（図９に示す）ので、回路遮断器４の操作トッテ４ｂを矢印Ｅ方向に回動させることにより回路遮断器４の開閉操作を行うことができる。
また、ドライブユニット５は回動軸４ａ１と軸受５ｄ１が摺動して回動するので、回路遮断器４への着脱がスムーズである。
また、ドライブユニット５は、可動側係止部５ｄ２が固定側係止部４ａ２に係止されるので回路遮断器４に装着された状態で確実に保持される。
【図面の簡単な説明】
【００２０】
【図１】この発明の実施の形態１における回路遮断器の外部操作ハンドル装置の外観を示す斜視図である。
【図２】図１の要部分解斜視図である。
【図３】図１のドライブユニットの拡大平面図である。
【図４】図１の他の実施例である。
【図５】この発明の実施の形態２における回路遮断器の外部操作ハンドル装置の外観を示す斜視図である。
【図６】図５のシャフト部を折り曲げた状態を示す斜視図である。
【図７】図５のシャフト部の構成を示す拡大分解斜視図である。
【図８】この発明の実施の形態３における回路遮断器の外部操作ハンドル装置の側面図である。
【図９】図８のドライブユニットを回路遮断器から外した状態を示す側面図である。
【図１０】図８の遮断器接続部材の外観拡大斜視図である。
【図１１】図８のユニット接続部材の外観拡大斜視図である。
【符号の説明】
【００２１】
１  扉、２  ハンドル、３  操作ユニット、４  回路遮断器、４ａ  遮断器接続部材、
４ａ１  回動軸、４ａ２  固定側係止部、５  ドライブユニット、５ｂ  表示記号、
５ｄ  ユニット接続部材、５ｄ１  軸受６、５ｄ２  可動側係止部、６  接続部材、
６ａ  把持部、７  シャフト、１０  シャフト部、１３  折曲部。
【図１】
2006318805.tif 000003
【図２】
2006318805.tif 000004
【図３】
2006318805.tif 000005
【図４】
2006318805.tif 000006
【図５】
2006318805.tif 000007
【図６】
2006318805.tif 000008
【図７】
2006318805.tif 000009
【図８】
2006318805.tif 000010
【図９】
2006318805.tif 000011
【図１０】
2006318805.tif 000012
【図１１】
2006318805.tif 000013